(57)【要約】【課題】ゴルフ演習または競技の途中に、他人の助けなしに、ゴルファー自身がゴルフボールに付いた異物を容易に除去することができる携帯用ゴルフボール洗浄器を提供する。【解決手段】袋と固定部でなり、前記袋は内部の吸水布と外部の防水布の二重に構成され、上端投入口は伸縮性素材のバンドでなり、下端は半球状であり、前記吸水布はポリエステル極細糸織物でなり、前記固定部は結合部位とかけリングまたはクリップを含み、袋の上端部位に装着され、前記結合部位とかけリングまたはクリップは互いに分離可能な着脱型であり、前記結合部位とかけリングまたはクリップは金属素材でなり、少なくともいずれか一方は磁石を含み、磁石の力によって結合部位とかけリングまたはクリップが間接的に連結される。【選択図】図１
2009045459.tif 000002
【特許請求の範囲】
【請求項１】
袋と固定部でなり、
前記袋は内部の吸水布と外部の防水布の二重に構成され、上端投入口は伸縮性素材のバンドでなり、下端は半球状であり、
前記吸水布はポリエステル極細糸織物でなり、
前記固定部は結合部位とかけリングまたはクリップを含み、袋の上端部位に装着され、
前記結合部位とかけリングまたはクリップは互いに分離可能な着脱型であり、
前記結合部位とかけリングまたはクリップは金属素材でなり、少なくともいずれか一方は磁石を含み、磁石の力によって結合部位とかけリングまたはクリップが間接的に連結されることを特徴とする、携帯用ゴルフボール洗浄器。
【発明の詳細な説明】
【技術分野】
【０００１】
本発明は携帯用ゴルフボール洗浄器に係り、より詳しくはゴルフ演習または競技の途中に、他人の助けなしに、ゴルファー自身がゴルフボールに付いた異物を容易に除去するように発明した携帯用ゴルフボール洗浄器に関するものである。
【背景技術】
【０００２】
本発明は携帯用ゴルフボール洗浄器であって、ゴルフ場での演習または競技の途中にゴルフボールに付いた砂、ほこり、水などの異物は、ボールの進行方向、飛距離、回転力などの調節を難しくするだけでなく、ゴルフクラブを損傷させる原因になるので、競技力の向上のためには、異物がついていないきれいなボールを使用する必要がある。
【０００３】
スポーツ用ボールを洗浄する装置に関わる技術としては、特許文献１のビリヤードボール洗浄器及び特許文献２のゴルフボール洗浄器のようなボール洗浄器が提案されたことがある。しかし、前記従来技術は高費用と広空間を要する大型機械であって、大量のボールを洗浄するのに適した装置であるが、個人が携帯するための洗浄器としてはあまり適していない。
【０００４】
しかし、実力の向上のためには、競技または演習中に付く異物をたびたび除去する必要がある。一般的には、随行する補助員がタオルなどで異物を除去している。しかし、補助員を伴わない場合には、競技に参加するゴルファー自身がこれを行わなければならない。この場合、片手でゴルフクラブを持った状態で、他方の手のみでボールを拭かなければならないので、誤ってボールを落とすことがあるなど、ゴルフボールの洗浄に不便さがあった。
【０００５】
故に、本発明者は、本発明に先立ち、特許文献３にゴルフボール洗浄器で携帯用ゴルフボール洗浄器を提案したことがある。前記特許文献３は、片手だけでゴルフボールの異物を手軽に除去することができる特徴があるが、タオル纎維組職でなる袋は耐久性に限界があるだけなく、雨天の時には容易に濡れて使用が困る問題があった。
【特許文献１】大韓民国公開実用新案第１９９５−３２３２５号明細書
【特許文献２】大韓民国登録実用新案第２６９８２５号明細書
【特許文献３】大韓民国実用新案出願第２００７−８５６１号明細書
【発明の開示】
【発明が解決しようとする課題】
【０００６】
本発明の目的は、ゴルフ演習または競技の途中に、他人の助けなしに、ゴルファーが片手のみでゴルフボールに付いた異物を容易に除去することができ、異物によってボールの進行方向、飛距離、回転力の調節に邪魔になるかゴルフクラブが損傷することを防止する携帯用ゴルフボール洗浄器を提供することにある。
本発明のさらに他の目的は、雨水に濡れるおそれがなく、天気の変化にかかわらず、洗浄力を維持することができる携帯用ゴルフボール洗浄器を提供することにある。
【課題を解決するための手段】
【０００７】
本発明は、袋と固定部を含んでなる携帯用ゴルフボール洗浄器を提供する。
本発明による携帯用ゴルフボール洗浄器において、袋はゴルフボールを収容して異物を拭き取る役目をするので、ゴルフボールを容易に入れるか取り出すことができるように、一般のゴルフボールの直径である４２．７ｍｍよりやや大きな円筒状に製作し、ゴルフボールが全体的に均一に拭かれるように、下端は半球状に立体的に製作することが好ましく、投入されたゴルフボールを洗浄するために揉む間にボールが袋の外に離脱することを防止するために、上端の投入口部分は、ゴムのように弾力のある素材を利用して製作したバンドを装着することが好ましい。
【０００８】
また、本発明において、袋は吸水布と防水布の二重でなる。袋の内部は、吸水布として吸水性及び耐久性に優れたポリエステル極細糸纎維で製造した織物を使用することにより洗浄力を高める一方、袋の外部は、防水性織物を利用した防水布で覆うことにより、雨天の時にも雨水に洗浄器が濡れることを防止することが好ましい。
【０００９】
本発明において、固定部は、袋に連結される結合部位と、洗浄器を服に装着し易くするために、かけリングまたはクリップを含んでいる。結合部位は袋の上端投入口部位に連結され、かけリングまたはクリップは結合部位と一体型に製作することもでき、着脱可能な分離型に製作することもできる。分離型の場合は、結合部位とかけリングまたはクリップを金属素材で製造し、少なくともいずれか一方に磁石を含ませることにより、磁石によって間接的に連結されるようにする。
【００１０】
本発明による携帯用ゴルフボール洗浄器は、装着されたかけリングまたはクリップを利用して衣服に固定状態に携帯し、使用したゴルフボールを投入口を通して入れた後、袋の外部で手で揉むことでゴルフボールを洗浄し、洗浄の後には、さらに投入口を通してボールを取り出す方法で使用する。
【発明の効果】
【００１１】
本発明による携帯用ゴルフボール洗浄器の袋は、ポリエステル極細糸素材の内部吸水布と外部防水布でなって、洗浄力に優れ、雨天の時にも、雨水に濡れるおそれがないのみならず、下端が半球状に製作されて、ボールを均一に洗浄することができ、投入口がバンドで処理されて、ボールが離脱するおそれがなく、かけリングまたはクリップが装着されて携帯が便利な特徴がある。また、本発明による携帯用ゴルフボール洗浄器は、競技中にも片手のみで容易にボールを洗浄することができるので、異物によってボールの進行方向、飛距離、回転力の調節に邪魔になるか、ゴルフクラブが損傷することを防止することができる。
【発明を実施するための最良の形態】
【００１２】
以下、添付図面に基づいて本発明を詳細に説明する。
図１及び図２に示すように、本発明の携帯用ゴルフボール洗浄器は、袋２０と固定部３０でなっている。本発明において、袋上端の投入口２１は伸縮性バンド２２で処理され、図１のように、普段にはボールの離脱を防止するように締められており、ボールを入れるか取り出すときには、図２のように、拡開するようになっている。袋の下端２３は、ボールを均一に拭くことができるように、半球状になっている。また、袋は、ゴルフボール１５の洗浄のための内部吸水布２４と、雨天の時に雨水の侵入を防止することができる外部防水布２５との二重になっている。
【００１３】
図１及び図２に示すように、固定部３０は、袋の上端に連結される結合部位３１を含み、ゴルフボール洗浄器を衣服に装着して携帯することができるように、かけリング３２１またはクリップ３２２のいずれか一つを含んでいる。
【００１４】
図２に示すように、結合部位とかけリングまたはクリップを一体型に製作し、袋の上端の投入口部位に直接連結することができる。一方、図１に示すように、結合部位とかけリングまたはクリップを脱着が可能な分離型に製作することもできる。この際、結合部位とかけリングまたはクリップは金属素材で製造し、少なくともいずれか一方は磁石を含ませて、衣服と洗浄器を磁石の力によって間接的に連結することができる。分離型の場合は、袋を衣服から分離するか装着することが非常に容易であるので、一体型に比べて使用がずっと便利な特徴がある。
【産業上の利用可能性】
【００１５】
本発明は、ゴルファーが自分がゴルフボールに付いた異物を容易に除去するようになった携帯用ゴルフボール洗浄器に適用可能である。
【図面の簡単な説明】
【００１６】
【図１】本発明による携帯用ゴルフボール洗浄器において、分離型固定部を有する洗浄器の斜視図である。
【図２】本発明による携帯用ゴルフボール洗浄器において、一体型固定部を有する洗浄器の斜視図である。
【符号の説明】
【００１７】
１０    携帯用ゴルフボール洗浄器
１５    ゴルフボール
２０    袋
２１    投入口
２２    バンド
２３    袋の下端
２４    吸水布
２５    防水布
３０    固定部
３１    結合部位
３２１    かけリング
３２２    クリップ
【図１】
2009045459.tif 000003
【図２】
2009045459.tif 000004